(57)【要約】【課題】  電池ホルダの省スペース化および低コスト化を図る。【解決手段】  本発明に係る電池ホルダは、第１保持部材１０のプレート部１１および一対のアーム部１２ａ，１２ｂと、第２保持部材２０と、固定保持部材３０とに囲まれてボタン電池５を収容可能な収容空間Ｓ１が形成され、プレート部１１と第２保持部材２０とに挟まれるとともに一対のアーム部１２ａ，１２ｂと固定保持部材３０とに挟まれた状態で、ボタン電池５が収容空間Ｓ１内に収容保持されるように構成されており、第１保持部材１０および第２保持部材２０が導電材料を用いて形成されるとともに、固定保持部材３０が絶縁樹脂を用いて形成されて、第１保持部材１０と第２保持部材２０とが互いに絶縁状態となるように構成されている。【選択図】  図１
2006302527.tif 000002
【特許請求の範囲】
【請求項１】
一方の底面または側面に一方の電極が設けられるとともに他方の底面に他方の電極が設けられた円盤形電池を収容保持するための電池ホルダであって、
前記円盤形電池の一方の底面に接触する板状のプレート部および、前記プレート部の両側部に互いに対向するようにそれぞれ形成されて、先端側が前記円盤形電池の側面に弾性変形した状態で接触する一対のアーム部を有した第１保持部材と、
前記円盤形電池の他方の底面に弾性変形した状態で接触する第２保持部材と、
前記プレート部における前記アーム部の基端側に配設されて、前記第２保持部材を前記プレート部と対向するように前記第１保持部材に固定保持する固定保持部材とを備え、
前記プレート部と、前記一対のアーム部と、前記第２保持部材と、前記固定保持部材とに囲まれて前記円盤形電池を収容可能な収容空間が形成され、前記プレート部と前記第２保持部材とに挟まれるとともに前記一対のアーム部と前記固定保持部材とに挟まれた状態で、前記円盤形電池が前記収容空間内に収容保持されるように構成されており、
前記第１保持部材および前記第２保持部材が導電材料を用いて形成されるとともに、前記固定保持部材が絶縁樹脂を用いて形成されて、前記第１保持部材と前記第２保持部材とが互いに絶縁状態となるように構成されていることを特徴とする電池ホルダ。
【請求項２】
前記プレート部に、前記収容空間内に収容保持された前記円盤形電池が前記一対のアーム部先端の間隙部から外方に離脱するのを規制するストッパ部が形成されていることを特徴とする請求項１に記載の電池ホルダ。
【発明の詳細な説明】
【技術分野】
【０００１】
本発明は、ボタン電池やコイン電池といった円盤形電池用の電池ホルダに関する。
【背景技術】
【０００２】
ボタン電池やコイン電池は、カメラや腕時計等といった小型電子機器用の電源として広く用いられており、このような電池を保持するための電池ホルダも多く考案されている（例えば、特許文献１を参照）。ボタン電池用の電池ホルダは、例えば、図１２に示すように、絶縁樹脂を用いて形成されたケース部材２０１と、ケース部材２０１に固定された＋極端子片２０２および−極端子片２０３とから構成される。ケース部材２０１は、上方（平面側）に開口した有底円筒状に形成され、このケース部材２０１の内部に上方からボタン電池２１０を収容可能な収容室２０４が形成される。また、ケース部材２０１の上部には、ボタン電池２１０が収容室２０４から上方に飛び出すのを規制する爪部２０５が形成される。
【０００３】
＋極端子片２０２と−極端子片２０３は、導電性の板バネ片を用いて形成され、それぞれケース部材２０１の所定箇所に固定される。このうち、＋極端子片２０２の一端側は、収容室２０４の側方に達して、収容室２０４に収容されたボタン電池２１０の側面に露出する＋電極２１１に弾性変形した状態で接触するようになっている。また、−極端子片２０３は、収容室２０４の底面中央に達して、ボタン電池２１０の底面に露出する−電極２１２に弾性変形した状態で接触するようになっている。一方、＋極端子片２０２と−極端子片２０３の他端は、ケース部材２０１の底面と同一平面となるように引き出される。このような電池ホルダ２００は、例えば、プリント基板上に実装されるようになっている。
【特許文献１】特開２００２−３１３２９９号公報
【発明の開示】
【発明が解決しようとする課題】
【０００４】
しかしながら、上述のような従来の電池ホルダ２００では、ケース部材２０１が絶縁樹脂を用いて形成されるため、必要な強度を確保するためにケース部材２０１の肉部をある程度厚くする必要があり、電池ホルダが大きくなって電子機器等に設けられる電池ホルダの占有スペースが大きくなる一因となっていた。また、ケース部材２０１の形状が複雑になるため、金型のコスト等が上昇してケース部材２０１のコストが高くなり、電池ホルダのコストが上昇する一因となっていた。
【０００５】
本発明は、このような問題に鑑みてなされたものであり、電池ホルダの省スペース化および低コスト化を図ることを目的とする。
【課題を解決するための手段】
【０００６】
このような目的達成のため、本発明に係る電池ホルダは、一方の底面または側面に一方の電極（例えば、実施形態における＋電極６）が設けられるとともに他方の底面に他方の電極（例えば、実施形態における−電極７）が設けられた円盤形電池（例えば、実施形態におけるボタン電池５）を収容保持するための電池ホルダであって、円盤形電池の一方の底面に接触する板状のプレート部および、プレート部の両側部に互いに対向するようにそれぞれ形成されて、先端側が円盤形電池の側面に弾性変形した状態で接触する一対のアーム部を有した第１保持部材と、円盤形電池の他方の底面に弾性変形した状態で接触する第２保持部材と、プレート部におけるアーム部の基端側に配設されて、第２保持部材をプレート部と対向するように第１保持部材に固定保持する固定保持部材とを備え、プレート部と、一対のアーム部と、第２保持部材と、固定保持部材とに囲まれて円盤形電池を収容可能な収容空間が形成され、プレート部と第２保持部材とに挟まれるとともに一対のアーム部と固定保持部材とに挟まれた状態で、円盤形電池が収容空間内に収容保持されるように構成されており、第１保持部材および第２保持部材が導電材料を用いて形成されるとともに、固定保持部材が絶縁樹脂を用いて形成されて、第１保持部材と第２保持部材とが互いに絶縁状態となるように構成されている。
【０００７】
また、上述の発明において、プレート部に、収容空間内に収容保持された円盤形電池が一対のアーム部先端の間隙部から外方に離脱するのを規制するストッパ部が形成されていることが好ましい。なお、上述の発明において、円盤形電池とは、ボタン電池やコイン電池等、円盤形の形状を有する電池のことをいう。
【発明の効果】
【０００８】
本発明によれば、第１保持部材および第２保持部材が導電材料を用いて形成されるとともに、固定保持部材が絶縁樹脂を用いて形成されるため、第１保持部材および第２保持部材に電池を保持する機能と接触端子としての機能とを兼用させることができる。そして、第１保持部材および第２保持部材が絶縁樹脂よりも強度の高い導電材料（例えば金属材料）を用いて形成されることで、第１保持部材および第２保持部材を薄くすることができることから、電池ホルダの省スペース化が可能になる。また、導電材料を用いて形成された第１保持部材および第２保持部材を利用して収容空間が形成されるため、絶縁樹脂を用いて形成された固定保持部材の形状を小型化および単純化することが可能となり、金型のコスト等を低減させることができることから、電池ホルダの低コスト化が可能になる。
【０００９】
また、プレート部に、収容空間内に収容保持された円盤形電池が一対のアーム部先端の間隙部から外方に離脱するのを規制するストッパ部が形成されることで、電池ホルダから円盤形電池が脱落してしまうのをより確実に防止することができる。
【発明を実施するための最良の形態】
【００１０】
以下、本発明の好ましい実施形態について図面を参照しながら説明する。本発明に係る第１実施形態の電池ホルダ１を図１に示している。この電池ホルダ１は、図１に示すように、第１保持部材１０と、第２保持部材２０と、固定保持部材３０とを主体に構成され、ボタン電池５を収容空間Ｓ１内に収容保持するようになっている。なお、ボタン電池５は円盤形の形状を有しており、一方の底面（図１における下側の底面）から側面にかけて＋電極６が露出して設けられるとともに、他方の底面（図１における上側の底面）に−電極７が露出して設けられている。
【００１１】
第１保持部材１０は、図２〜図６に示すように、燐青銅等の導電性を有する金属板材を用いて、前後および上方が開口した箱形に形成され、中央に穴部１３を有する板状のプレート部１１と、このプレート部１１の左右側部に形成された一対のアーム部１２ａ，１２ｂとを有して構成される。また、第１保持部材１０の表面には、所定のメッキ処理が施される。なお、本実施形態において、説明容易化のため、図３における左方向を電池ホルダ１の左方向とするとともに、図３における下方向を電池ホルダ１の前方向とし、図３における手前方向を電池ホルダ１の上方向とする。そして、電池ホルダ１の向きはこのような向きに限定されないのは勿論のことである。
【００１２】
プレート部１１は、上述したように、中央に穴部１３を有する板状に形成されており、上面がボタン電池５の一方の底面（＋電極６側の底面）と接触するようになっている。図６に示すように、プレート部１１の左右後端部に嵌合突起部１４が上方へ延びるように形成されており、図４に示すように、固定保持部材３０の嵌合穴３２にそれぞれ圧入嵌合するようになっている。
【００１３】
プレート部１１の前部中央には、ストッパ部１５が斜め上方に切り出し形成されており、図１および図５に示すように、収容空間Ｓ１内に収容保持されたボタン電池５が左右のアーム部１２ａ，１２ｂ先端の（後述する左右のガイド部１８ａ，１８ｂ同士の）間隙部から外方（前方）に離脱するのを規制するようになっている。これにより、電池ホルダ１からボタン電池５が脱落してしまうのをより確実に防止することができる。また、プレート部１１の左右前端部には第１切片部１６が形成されており、プレート部１１（電池ホルダ１）の下側に位置するプリント基板（図示せず）に半田付けされるようになっている。
【００１４】
左アーム部１２ａは、プレート部１１の左側部から上方へ折り曲げられるように形成されており、先端側（前側）にボタン電池５の側面形状に合わせて右側（内側）へ湾曲した左湾曲部１７ａが形成されている。この左湾曲部１７ａは、弾性変形を利用してプレート部１１の上面において左右へ揺動可能に構成されており、図１に示すように、ボタン電池５が収容空間Ｓ１内に収容されるときに、ボタン電池５の側面に弾性変形した状態で接触するようになっている。また、左湾曲部１７ａ（左アーム部１２ａ）の先端（前端）には、左ガイド部１８ａが左側（外側）へ折り曲げられるように形成されており、ボタン電池５を収容空間Ｓ１内に挿入し易いようになっている。
【００１５】
右アーム部１２ｂは、左アーム部１２ａと対称的に、プレート部１１の右側部から上方へ折り曲げられるように形成されており、先端側（前側）にボタン電池５の側面形状に合わせて左側（内側）へ湾曲した右湾曲部１７ｂが形成されている。この右湾曲部１７ｂは、弾性変形を利用してプレート部１１の上面において左右へ揺動可能に構成されており、図１に示すように、ボタン電池５が収容空間Ｓ１内に収容されるときに、ボタン電池５の側面に弾性変形した状態で接触するようになっている。また、右湾曲部１７ｂ（右アーム部１２ｂ）の先端（前端）には、右ガイド部１８ｂが右側（外側）へ折り曲げられるように形成されており、ボタン電池５を収容空間Ｓ１内に挿入し易いようになっている。
【００１６】
第２保持部材２０は、図２〜図６に示すように、燐青銅等の導電性を有する金属板材を用いて、前後方向に延びる板状に形成され、前側がプレート部１１の穴部１３と対向するように構成される。第２保持部材２０の前端部には、−電極接触部２２が曲げ形成されており、第２保持部材２０が上方に弾性変形した状態でボタン電池５の−電極７に接触するようになっている。第２保持部材２０の後側は、図５（ａ）および図６に示すように、クランク状に下方へ折り曲げられて後方へ延びるように形成されており、第２保持部材２０の後端部にプリント基板（図示せず）に半田付けされる第２切片部２３が形成されている。図６に示すように、第２保持部材２０において上下方向に延びる部分の左右側部には、係合突起部２１が形成されており、図３に示すように、固定保持部材３０の係合溝部３４とそれぞれ係合するようになっている。
【００１７】
固定保持部材３０は、図２〜図６に示すように、ＬＣＰ（Liquid Crystal Polymer）樹脂等の絶縁樹脂を用いて直方体形に形成される。固定保持部材３０の左右には、嵌合穴３２がそれぞれ上下方向に貫通して形成されており、図４および図６に示すように、プレート部１１の嵌合突起部１４がそれぞれ下側から圧入嵌合することにより、図２および図３に示すように、固定保持部材３０が左右のアーム部１２ａ，１２ｂ基端（後端）の間隙部を塞ぐ形でプレート部１１の後部（すなわち、左右のアーム部１２ａ，１２ｂの基端側）に固定されるようになっている。なお、固定保持部材３０の下面前部から左右の側面前部に繋がって、第１保持部材１０の後部が重なる段差部３１が形成されている。
【００１８】
固定保持部材３０の後部中央には、溝状の第２保持部材固定部３３が上下方向に延びて形成されており、図６に示すように、第２保持部材固定部３３の左右に形成された係合溝部３４に第２保持部材２０の係合突起部２１をそれぞれ係合させることで、図３に示すように、第２保持部材２０が第２保持部材固定部３３に固定されるようになっている。これにより、固定保持部材３０を利用して、第１保持部材１０と第２保持部材２０とが互いに絶縁状態で、第２保持部材２０がプレート部１１の穴部１３と対向するように第１保持部材１０に固定保持される。また、固定保持部材３０の前部中央には、ボタン電池５の側面の形状に合わせた曲面を有する電池接触部３５が形成され、ボタン電池５が収容空間Ｓ１内に収容されるときに、ボタン電池５の側面に接触するようになっている。
【００１９】
そして、第１保持部材１０のプレート部１１および左右（一対）のアーム部１２ａ，１２ｂと、第２保持部材２０と、固定保持部材３０とに囲まれて、ボタン電池５を収容可能な収容空間Ｓ１が形成され、図１および図５（ｂ）に示すように、プレート部１１と第２保持部材２０とに挟まれるとともに左右のアーム部１２ａ，１２ｂと固定保持部材３０とに挟まれた状態で、ボタン電池５が収容空間Ｓ１内に収容保持されるようになっている。これにより、電池ホルダ１を用いてボタン電池５を収容空間Ｓ１内に収容保持することが可能なる。
【００２０】
以上のように構成される電池ホルダ１において、前述したように、第１保持部材１０および第２保持部材２０が導電材料を用いて形成されるとともに、固定保持部材３０が絶縁樹脂を用いて形成され、第１保持部材１０と第２保持部材２０とが互いに絶縁状態となるように構成されている。そのため、第１保持部材１０および第２保持部材２０に、ボタン電池５を保持する機能と、ボタン電池５の＋電極６および−電極７に接触する接触端子としての機能とを兼用させることができる。
【００２１】
そして、第１保持部材１０および第２保持部材２０が絶縁樹脂よりも強度の高い導電材料（金属材料）を用いて形成されることで、第１保持部材１０および第２保持部材２０を薄く板状にすることができることから、電池ホルダ１の省スペース化が可能になる。また、導電材料を用いて形成された第１保持部材１０および第２保持部材２０を利用して収容空間Ｓ１が形成されるため、絶縁樹脂を用いて形成された固定保持部材３０の形状を小型化および単純化する（具体的には、直方体形にする）ことが可能となり、金型のコスト等を低減させることができることから、電池ホルダ１の低コスト化が可能になる。
【００２２】
なお、電池ホルダ１は半田付け等により図示しないプリント基板に実装された状態で使用に供される。ボタン電池５を電池ホルダ１に収容保持させるには、ボタン電池５を電池ホルダ１の前上方から左右のガイド部１８ａ，１８ｂに当接させて各アーム部１２ａ，１２ｂ（湾曲部１７ａ，１７ｂ）を押し広げるようにして収容空間Ｓ１内に挿入する。そうすると、図１および図５（ｂ）に示すように、第２保持部材２０および左右のアーム部１２ａ，１２ｂ（湾曲部１７ａ，１７ｂ）の弾性変形を利用して、プレート部１１と第２保持部材２０とに挟まれるとともに、左右のアーム部１２ａ，１２ｂと固定保持部材３０とに挟まれた状態で、ボタン電池５が電池ホルダ１の収容空間Ｓ１内に収容保持される。なおこのとき、第１保持部材１０のプレート部１１および左右のアーム部１２ａ，１２ｂがボタン電池５の＋電極６に接触するとともに、第２保持部材２０の−電極接触部２２がボタン電池５の−電極７に接触する。一方、ボタン電池５を電池ホルダ１の収容空間Ｓ１から取り出すには、ボタン電池５を収容空間Ｓ１内に挿入する場合と逆の動作を行えばよい。
【００２３】
以上のような構成の第１実施形態の電池ホルダ１によれば、第１保持部材１０および第２保持部材２０が導電材料を用いて形成されるとともに、固定保持部材３０が絶縁樹脂を用いて形成されるため、第１保持部材１０および第２保持部材２０にボタン電池５を保持する機能と接触端子としての機能とを兼用させることができる。そして、第１保持部材１０および第２保持部材２０が絶縁樹脂よりも強度の高い導電材料（金属材料）を用いて形成されることで、第１保持部材１０および第２保持部材２０を薄くすることができることから、電池ホルダ１の省スペース化が可能になる。また、導電材料を用いて形成された第１保持部材１０および第２保持部材２０を利用して収容空間Ｓ１が形成されるため、絶縁樹脂を用いて形成された固定保持部材３０の形状を小型化および単純化することが可能となり、金型のコスト等を低減させることができることから、電池ホルダ１の低コスト化が可能になる。
【００２４】
また、プレート部１１に、収容空間Ｓ１内に収容保持されたボタン電池５が左右（一対）のアーム部１２ａ，１２ｂ先端の間隙部から外方に離脱するのを規制するストッパ部１５が形成されることで、電池ホルダ１からボタン電池５が脱落してしまうのをより確実に防止することができる。
【００２５】
次に、電池ホルダの第２実施形態について図７〜図１１を参照しながら説明する。第２実施形態の電池ホルダ５１は、図７に示すように、第１保持部材６０と、第２保持部材７０と、固定保持部材８０とを主体に構成され、ボタン電池５を収容空間Ｓ２内に収容保持するようになっている。なお、第２実施形態におけるボタン電池５は、第１実施形態におけるボタン電池５と同じものであり、同一の番号を付して詳細な説明を省略する。
【００２６】
第１保持部材６０は、図８〜図１０に示すように、燐青銅等の導電性を有する金属板材を用いて、前後および下方が開口した箱形に形成され、中央に穴部６３を有する板状のプレート部６１と、このプレート部６１の左右側部に形成された一対のアーム部６２ａ，６２ｂとを有して構成される。また、第１保持部材６０の表面には、所定のメッキ処理が施される。なお、本実施形態においても、説明容易化のため、図９における左方向を電池ホルダ５１の左方向とするとともに、図９における下方向を電池ホルダ５１の前方向とし、図９における手前方向を電池ホルダ５１の上方向とする。そして、電池ホルダ５１の向きはこのような向きに限定されないのは勿論のことである。
【００２７】
プレート部６１は、上述したように、中央に穴部６３を有する板状に形成されており、下面がボタン電池５の一方の底面（＋電極６側の底面）と接触するようになっている。詳細な図示を省略するが、プレート部６１の左右後端部に嵌合突起部６４が下方へ延びるように形成されており、図９に示すように、固定保持部材８０の嵌合穴８２にそれぞれ圧入嵌合するようになっている。
【００２８】
プレート部６１の前部中央には、ストッパ部６５が斜め下方に切り出し形成されており、図７および図１１（ｂ）に示すように、収容空間Ｓ２内に収容保持されたボタン電池５が左右のアーム部６２ａ，６２ｂ先端の（後述する左右のガイド部６８ａ，６８ｂ同士の）間隙部から外方（前方）に離脱するのを規制するようになっている。これにより、電池ホルダ１からボタン電池５が脱落してしまうのをより確実に防止することができる。
【００２９】
左アーム部６２ａは、プレート部６１の左側部から下方へ折り曲げられるように形成されており、先端側（前側）にボタン電池５の側面形状に合わせて右側（内側）へ湾曲した左湾曲部６７ａが形成されている。この左湾曲部６７ａは、弾性変形を利用してプレート部６１の下面において左右へ揺動可能に構成されており、ボタン電池５が収容空間Ｓ２内に収容されるときに、ボタン電池５の側面に弾性変形した状態で接触するようになっている。また、左湾曲部６７ａ（左アーム部６２ａ）の先端（前端）には、左ガイド部６８ａが左側（外側）へ折り曲げられるように形成されており、ボタン電池５を収容空間Ｓ２内に挿入し易いようになっている。また、左アーム部６２ａの下端部には、左第１切片部６９ａが左方へ突出して形成されており、プレート部６１（電池ホルダ５１）の下側に位置するプリント基板（図示せず）に半田付けされるようになっている。
【００３０】
右アーム部６２ｂは、左アーム部６２ａと対称的に、プレート部６１の右側部から下方へ折り曲げられるように形成されており、先端側（前側）にボタン電池５の側面形状に合わせて左側（内側）へ湾曲した右湾曲部６７ｂが形成されている。この右湾曲部６７ｂは、弾性変形を利用してプレート部６１の下面において左右へ揺動可能に構成されており、図７に示すように、ボタン電池５が収容空間Ｓ２内に収容されるときに、ボタン電池５の側面に弾性変形した状態で接触するようになっている。また、右湾曲部６７ｂ（右アーム部６２ｂ）の先端（前端）には、右ガイド部６８ｂが右側（外側）へ折り曲げられるように形成されており、ボタン電池５を収容空間Ｓ２内に挿入し易いようになっている。また、右アーム部６２ｂの下端部には、右第１切片部６９ｂが右方へ突出して形成されており、プリント基板（図示せず）に半田付けされるようになっている。
【００３１】
第２保持部材７０は、図８〜図１０に示すように、燐青銅等の導電性を有する金属板材を用いて、前後方向に延びる板状に形成され、前側がプレート部６１の穴部６３と対向するように構成される。第２保持部材７０の前端部には、−電極接触部７２が曲げ形成されており、第２保持部材７０が下方に弾性変形した状態でボタン電池５の−電極７に接触するようになっている。第２保持部材７０の後側は、図１１（ａ）にも示すように、上方にヘアピン形に曲げられて後方へ延びるように形成されており、第２保持部材７０の後端部にプリント基板（図示せず）に半田付けされる第２切片部７３が形成されている。図１０に示すように、第２保持部材７０において上下方向に延びる部分の左右側部には、係合突起部７１が形成されており、固定保持部材８０の係合溝部８４とそれぞれ係合するようになっている。
【００３２】
固定保持部材８０は、図８〜図１０に示すように、ＬＣＰ（Liquid Crystal Polymer）樹脂等の絶縁樹脂を用いて直方体形に形成される。固定保持部材８０の左右には、嵌合穴８２がそれぞれ上下方向に貫通して形成されており、図９に示すように、プレート部６１の嵌合突起部６４がそれぞれ上側から圧入嵌合することにより、図１０に示すように、固定保持部材８０が左右のアーム部６２ａ，６２ｂ基端（後端）の間隙部を塞ぐ形でプレート部６１の後部（すなわち、左右のアーム部６２ａ，６２ｂの基端側）に固定されるようになっている。なお、固定保持部材８０の上面前部から左右の側面前部に繋がって、第１保持部材６０の後部が重なる段差部８１が形成されている。
【００３３】
固定保持部材８０の後部中央には、溝状の第２保持部材固定部８３が上下方向に延びて形成されており（図１１（ａ）も参照）、図１０に示すように、第２保持部材固定部８３の左右に形成された係合溝部８４に第２保持部材７０の係合突起部７１をそれぞれ係合させることで、第２保持部材７０が第２保持部材固定部８３に固定されるようになっている。これにより、固定保持部材８０を利用して、第１保持部材６０と第２保持部材７０とが互いに絶縁状態で、第２保持部材７０がプレート部６１の穴部６３と対向するように第１保持部材６０に固定保持される。また、固定保持部材８０の前部中央には、ボタン電池５の側面の形状に合わせた曲面を有する電池接触部８５が形成され、ボタン電池５が収容空間Ｓ２内に収容されるときに、ボタン電池５の側面に接触するようになっている。
【００３４】
そして、第１保持部材６０のプレート部６１および左右（一対）のアーム部６２ａ，６２ｂと、第２保持部材７０と、固定保持部材８０とに囲まれて、ボタン電池５を収容可能な収容空間Ｓ２が形成され、図７および図１１（ｂ）に示すように、プレート部６１と第２保持部材７０とに挟まれるとともに左右のアーム部６２ａ，６２ｂと固定保持部材８０とに挟まれた状態で、ボタン電池５が収容空間Ｓ２内に収容保持されるようになっている。これにより、電池ホルダ１を用いてボタン電池５を収容空間Ｓ２内に収容保持することが可能なる。
【００３５】
以上のように構成される電池ホルダ５１において、前述したように、第１保持部材６０および第２保持部材７０が導電材料を用いて形成されるとともに、固定保持部材８０が絶縁樹脂を用いて形成され、第１保持部材６０と第２保持部材７０とが互いに絶縁状態となるように構成されている。そのため、第1実施形態の場合と同様の理由により、電池ホルダ５１の省スペース化および低コスト化が可能になる。
【００３６】
なお、電池ホルダ５１は半田付け等により図示しないプリント基板の端部近傍に実装された状態で使用に供される。ボタン電池５を電池ホルダ５１に収容保持させるには、ボタン電池５を電池ホルダ５１の前下方から左右のガイド部６８ａ，６８ｂに当接させて各アーム部６２ａ，６２ｂ（湾曲部６７ａ，６７ｂ）を押し広げるようにして収容空間Ｓ２内に挿入する。そうすると、図７および図１１（ｂ）に示すように、第２保持部材７０および左右のアーム部６２ａ，６２ｂ（湾曲部６７ａ，６７ｂ）の弾性変形を利用して、プレート部６１と第２保持部材７０とに挟まれるとともに、左右のアーム部６２ａ，６２ｂと固定保持部材８０とに挟まれた状態で、ボタン電池５が電池ホルダ５１の収容空間Ｓ２内に収容保持される。なおこのとき、第１保持部材６０のプレート部６１および左右のアーム部６２ａ，６２ｂがボタン電池５の＋電極６に接触するとともに、第２保持部材７０の−電極接触部７２がボタン電池５の−電極７に接触する。一方、ボタン電池５を電池ホルダ５１の収容空間Ｓ２から取り出すには、ボタン電池５を収容空間Ｓ２内に挿入する場合と逆の動作を行えばよい。
【００３７】
以上のような構成の第２実施形態の電池ホルダ５１によれば、第1実施形態の場合と同様の理由により、電池ホルダ５１の省スペース化および低コスト化が可能になる。また、第1実施形態の場合と同様に、プレート部６１にストッパ部６５が形成されることで、電池ホルダ５１からボタン電池５が脱落してしまうのをより確実に防止することができる。
【００３８】
なお、上述の各実施形態において、本発明に係る電池ホルダとしてボタン電池用の電池ホルダを例に説明しているが、これに限られるものではなく、例えばコイン電池等の円盤形電池を収容保持する電池ホルダであれば、本発明を適用することができる。また、ボタン電池には、酸化銀電池や空気亜鉛電池、アルカリボタン電池等があるが、いずれのボタン電池に対しても本発明を適用することができる。
【００３９】
また、上述の実施形態において、第１保持部材６０がボタン電池５の＋電極６に接触するとともに、第２保持部材７０がボタン電池５の−電極７に接触するように構成されているが、これに限られるものではなく、一方の底面または側面に−電極が設けられるとともに他方の底面に＋電極が設けられた円盤形の電池であれば、第１保持部材が−電極に接触するとともに第２保持部材が＋電極に接触するようにしてもよい。
【００４０】
さらに、上述の実施形態において、ボタン電池５の一方の底面から側面にかけて＋電極６が設けられるとともに、他方の底面に−電極７が設けられているが、これに限られるものではなく、ボタン電池５の一方の底面にのみ＋電極が設けられてもよく、ボタン電池５の側面にのみ＋電極が設けられてもよい。
【図面の簡単な説明】
【００４１】
【図１】本発明に係る第１実施形態の電池ホルダにボタン電池が収容された状態を示す斜視図である。
【図２】第１実施形態における電池ホルダの斜視図である。
【図３】第１実施形態における電池ホルダの平面図である。
【図４】第１実施形態における電池ホルダの底面図である。
【図５】（ａ）は第１実施形態における電池ホルダの側断面図であり、（ｂ）は第１実施形態の電池ホルダにボタン電池が収容された状態を示す斜視図である。
【図６】第１実施形態における電池ホルダの分解斜視図である。
【図７】第２実施形態の電池ホルダにボタン電池が収容された状態を示す斜視図である。
【図８】第２実施形態における電池ホルダの斜視図である。
【図９】第２実施形態における電池ホルダの平面図である。
【図１０】第２実施形態における電池ホルダの底面図である。
【図１１】（ａ）は第２実施形態における電池ホルダの側断面図であり、（ｂ）は第２実施形態の電池ホルダにボタン電池が収容された状態を示す斜視図である。
【図１２】従来の電池ホルダを示す側断面図である。
【符号の説明】
【００４２】
１  電池ホルダ（第１実施形態）
５  ボタン電池（円盤形電池）
６  ＋電極（一方の電極）
７  −電極（他方の電極）
１０  第１保持部材
１１  プレート部
１２ａ  左アーム部
１２ｂ  右アーム部
１５  ストッパ部
１７ａ  左湾曲部
１７ｂ  右湾曲部
１８ａ  左ガイド部
１８ｂ  右ガイド部
２０  第２保持部材
３０  固定保持部材
５１  電池ホルダ（第２実施形態）
６１  プレート部
６２ａ  左アーム部
６２ｂ  右アーム部
６５  ストッパ部
６７ａ  左湾曲部
６７ｂ  右湾曲部
６８ａ  左ガイド部
６８ｂ  右ガイド部
７０  第２保持部材
８０  固定保持部材
Ｓ１  収容空間（第１実施形態）
Ｓ２  収容空間（第２実施形態）
【図１】
2006302527.tif 000003
【図２】
2006302527.tif 000004
【図３】
2006302527.tif 000005
【図４】
2006302527.tif 000006
【図５】
2006302527.tif 000007
【図６】
2006302527.tif 000008
【図７】
2006302527.tif 000009
【図８】
2006302527.tif 000010
【図９】
2006302527.tif 000011
【図１０】
2006302527.tif 000012
【図１１】
2006302527.tif 000013
【図１２】
2006302527.tif 000014